(57)【特許請求の範囲】
【請求項１】
分離可能に結合され、結合時、中央部分には釣り糸が貫通可能な通路を形成する第１、２のケースからなる本体を備え、
前記第１のケースの内部には重りが設けられ、
前記第２のケースの内部の一側には、夜間に光を発光する発光手段が設けられ、前記発光手段の他側には、重量体が設けられ、前記本体を水面に水平方向に傾斜して浮上させるように構成されることを特徴とする釣り用電気斜め浮き。
【請求項２】
前記重量体は、前記第２のケースから着脱可能に構成され、重量調節により、水面に浮上する本体の傾斜を調節可能に構成されることを特徴とする請求項１に記載の釣り用電気斜め浮き。
【請求項３】
前記第２のケースの表面には、前記発光手段から発光する光を集中させ、その後、発散させて、視認性を向上させるように、他の部分よりも厚みが薄い凸部が形成されることを特徴とする請求項１に記載の釣り用電気斜め浮き。
【発明の詳細な説明】
【技術分野】
【０００１】
本発明は、魚信を把握するために、水面に水平方向に傾斜して浮上する釣り用電気斜め浮きに関し、より詳しくは、視認性に優れ、夜間にも効率的に釣りをすることができ、さらには、水面に浮上する傾斜角度を選択的に調節可能にし、頻繁に変化する天気及び波等の外部影響に柔軟に対応することができる釣り用電気斜め浮きに関する。
【背景技術】
【０００２】
一般に、海釣りに用いられる浮きは、魚が釣り餌に食いついた場合の信号、すなわち、魚信を釣り人に伝えるための浮標のことをいい、孔浮きと棒浮きに大別されるが、孔浮きの場合は、卵形や円錐形状に形成され、中央に釣り糸が貫通可能な孔が形成されており、棒浮きは、文字通りに棒状に形成され、下側に釣り糸をかけて使用するようになる。
【０００３】
また、前記孔浮きは、水面に垂直方向に浮上する直立型孔浮きと、水面に水平方向に傾斜して浮上する斜め浮きとに大別され、通常、直立型孔浮きは、半遊動釣りに広く用いられ、斜め浮きは、全遊動浮きに主に用いられることから、斜め浮きは、糸落ちがよく、微妙な魚信も把握しやすいという長所があり、最近、広く用いられている実状である。
【０００４】
また、最近、夜間にも視認性を確保し、釣りを楽しむように、前記孔浮きに発光手段を内蔵した、いわゆる電気浮きが提供されており、夜間には電気浮きに仕掛けを交替して使用している。しかしながら、この電気浮きの場合は、水面に垂直方向に浮上する孔浮き型であるので、斜め浮きが好きな釣り人でも、夜間には視認性の問題により、選択の余地なく、電気浮きに仕掛けを交替しなければならないという問題があった。
【０００５】
そこで、最近、上記した問題を克服するために、斜め浮きにケミカルライトを差し込み、夜間に視認性が確保できる斜め浮きが提供されている。すなわち、大韓民国特許公開番号第１０‐２００６‐００９０６３５号に示すように、斜め浮きの上面にケミ挿入溝を形成し、自体発光するケミカルライトを夜間に差し込んで使用するようにしている。しかし、ケミカルライトは、発光物質により自体発光する構造を有するため、発光力が顕著に落ち、釣り場の付近から離れると、視認性が大いに落ちるという短所があった。
【発明の概要】
【発明が解決しようとする課題】
【０００６】
本発明は、上記問題点に鑑みなされたものであり、その目的は、視認性に優れ、夜間にも効率的に釣りをすることができ、さらには、水面に浮上する傾斜角度を選択的に調節可能にし、頻繁に変化する天気及び波等の外部影響に柔軟に対応することができる釣り用電気斜め浮きを提供することにある。
【課題を解決するための手段】
【０００７】
上述した目的を達成するために、本発明は、分離可能に結合され、結合時、中央部分には釣り糸が貫通可能な通路を形成する第１、２のケースからなる本体を備え、前記第１のケースの内部には重りが設けられ、前記第２のケースの内部の一側には、夜間に光を発光する発光手段が設けられ、前記発光手段の他側には、重量体が設けられ、前記本体を水面に水平方向に傾斜して浮上させるように構成されることを特徴とする。
【０００８】
好ましくは、前記重量体は、前記第２のケースから着脱可能に構成され、重量調節により、水面に浮上する本体の傾斜を調節可能に構成されることを特徴とする。
【０００９】
好ましくは、前記第２のケースの表面には、前記発光手段から発光する光を集めて集中発光し、視認性を向上させるように、他の部分よりも厚みが薄い凸部が形成されることを特徴とする。
【発明の効果】
【００１０】
本発明によると、水面に水平方向に傾斜して浮上する斜め浮きの本体の内部に発光手段を備えるので、視認性に優れ、夜間にも効率的に釣りをすることができ、さらには、第２のケースの内部に設けられる重量体の重量調節により、水面に浮上する傾斜角度を選択的に調節し、頻繁に変化する天気及び波等の外部影響に柔軟に対応することができる。
【図面の簡単な説明】
【００１１】
【図１】本発明の好適な一実施例による釣り用電気斜め浮きを示す分離斜視図である。
【図２】本発明の好適な一実施例による釣り用電気浮きを示した概略断面図である。
【図３】本発明の好適な一実施例による第２のケースの内部を示した斜視図である。
【図４】図４a及び図４bは、本発明の好適な一実施例による電気斜め浮きの使用状態を示す概略側面図である。
【発明を実施するための形態】
【００１２】
以下、添付した図面に基づき、本発明の好適な実施例について詳述する。
【００１３】
これに先立って、本明細書及び請求の範囲に用いられた用語や単語は、通常的かつ辞典的な意味に限定して解釈されてはならず、発明者は、その自身の発明を最も最善の方法で説明するために、用語の概念を適宜定義することができるという原則に則って、本発明の技術的思想に符合する意味と概念により解釈されなければならない。
【００１４】
したがって、本明細書に記載された一実施例と図面に示された構成は、本発明の最も好ましい一実施例に過ぎず、本発明の技術的思想を全て代弁するものではないので、本出願の時点において、これらを代替可能な様々な均等物と変形例があり得ることが理解されなければならない。
【００１５】
図１は、本発明の好適な一実施例による釣り用電気斜め浮きを示す分離斜視図であり、図２は、本発明の好適な一実施例による釣り用電気浮きを示した概略断面図であり、図３は、本発明の好適な一実施例による第２のケースの内部を示した斜視図である。
【００１６】
先ず、図１及び図２を参照すると、釣り用電気斜め浮きの本体１００は、周縁部に形成された結合部１１６、１２４を介して分離可能に結合される第１、第２のケース１１０、１２０からなるが、前記第１のケース１１０の内部には、重り１１２が設けられ、中央部分には、水平方向に貫通した貫通孔１１４が形成された突起棒１１３が形成されている。また、前記第２のケース１２０も、中央部分に水平方向に貫通孔１２２が形成されており、両ケース１１０、１２０の結合時、前記突起棒１１３が、前記第２のケース１２０の貫通孔に結合されることにより、中央部分に釣り糸２００が貫通する通路を形成するようになる。両ケース１１０、１２０及び貫通孔１１４、１２２の結合部分には、前記本体１００の内部に水が流入しないように、図示していないが、パッキン等で密閉していることは当然である。
【００１７】
続けて、前記第２のケース１２０の内部の一側には、夜間に視認性を確保可能に発光手段１３０が設けられ、他側には、前記本体１００を水面に水平方向に傾斜して浮上させるための重量体１４０が設けられている。
【００１８】
この際、前記発光手段１３０は、前記第２のケース１２０の内部の一側に設けられる端子孔１３２と、前記端子孔１３２と連結した基板１３４と、前記基板１３４と連結したＬＥＤ電球１３６と、前記端子孔１３２に結合される棒電池１３８とを有し、前記棒電池１３８が前記端子孔１３２に挿入されると、基板１３４と連結したＬＥＤ電球１３６が発光するようになる。この発光する光を集中させて視認性をさらに向上させるために、前記第２のケース１２０の表面には、他の部分よりも厚みの薄い凸部１２６を形成するようになる。
【００１９】
また、前記重量体１４０は、前記第２のケース１２０に結合された状態で形成してもよいが、容易な把持のために、棒状に形成し、前記第２のケース１２０から分離可能に構成し、交替可能にすることが好ましい。すなわち、前記第２のケース１２０の内部の他側に結合口１２８を形成し、この結合口１２８に前記重量体１４０を挿入して分離可能に構成し、これにより、重量の異なる重量体に交替することができるようになる。
【００２０】
このように構成されると、本製品は、少なくとも２つ以上の異なる重量を有する重量体１４０を提供するようになる。また、図３に示すように、前記本体１００の安定感のある浮上のために、前記結合口１２８を対称にそれぞれ形成することが好ましく、前記結合口１２８間には、棒電池１３８の不使用の際に、その棒電池１３８を差し込み可能な挿入口１２９を形成することにより、電池消耗を防ぐようになる。
【００２１】
結局として、前記第１のケース１１０に設けられた重り１１２は、水面に本体１００が浮上するとき、垂直方向に浮上させるが、第２のケース１２０の内部の一側に設けられた重量体１４０によって、本体１００は、水平方向に浮上するようになり、この過程で、前記重量体１４０の重量を調節することにより、水面に浮上する本体１００の傾斜を選択的に調節することができるようになる。
【００２２】
本体１００の傾斜を調節可能であるというのは、本体１００の貫通孔１１４、１２２を通過する釣り糸２００の入水角度を調節可能であることを意味する。
【００２３】
以下、上記のように構成された本発明による電気斜め浮きの使用状態について説明する。
【００２４】
図４a及び図４bは、本発明の好適な一実施例による電気斜め浮きの使用状態を示す概略側面図である。
【００２５】
先ず、図４aを参照すると、電気斜め浮きの本体１００の中央部分に形成された貫通孔１１４、１２２に釣り糸２００を貫通させ、その下端に釣り針２０２を結んでいるが、水深が深く、または迅速な仕掛けの入水のためには、選択的に、前記釣り針２０２の上層部に水中浮き２０４をつけてもよく、図示していないが、緩衝ゴムや軽重り等をさらにつけてもよい。
【００２６】
このように仕掛けが完成すると、水面に斜め浮き、すなわち、本体１００を投げ、水面に届いたら、本体１００は、第１、第２のケース１１０、１２０の内部に設けられた重り１１２及び重量体１４０により、水面に水平方向に浮上した状態で魚信を把握するようになる。
【００２７】
その後、夜間になると、前記本体１００を構成する第１、第２のケース１１０、１２０を分離し、図示していないが、第２のケース１２０の内部に設けられた発光手段１３０の端子孔１３２に棒電池１３８を挿入し、光を発光し、視認性を確保して、釣りを楽しむようになる。この際、前記第２のケース１２０の表面に形成された凸部１２６により、光を集中して発散させることができ、視認性がさらに向上することは自明である。
【００２８】
次に、頻繁に変化する外部天気や海等に応じて、釣り糸２００の入水角度を調節する作用について説明する。例えば、前記第１のケース１１０の内部に設けられた重り１１２と、第２のケース１２０の内部に設けられた重量体１４０とが、１：１の重量比を有するとき、水面に殆ど水平状態の傾斜をもって浮上すると仮定すると、本体１００を構成する第１、２のケース１１０、１２０を分離した後、既に挿入されている重量体１４０を分離し、重量の軽い他の重量体を挿入させ、重り１１２と重量体１４０の重量比を約１：０．８に調節し、同一の方法で水面に投げると、図４bに示すように、本体１００は、第２のケース１２０の部分が、水面の上側に上がった斜めな傾斜に調節されて浮上するようになる。
【００２９】
このように、水面に水平方向に傾斜して浮上する本体１００の内部に発光手段１３０を備え、視認性が確保されるのはもとより、以外にも、重量体１４０の重量調節により、本体１００の浮上角度を調節することができ、釣り糸２００の入水角度調節による入水速度調節が可能であるという長所がある。
【００３０】
この際、前記釣り糸２００の入水角度を調節するというのは、釣り針２０２が水中に沈む速度を調節可能であることを意味する。例えば、図４aの場合は、本体１００が水面に殆ど水平状態に浮上しているので、本体１００を貫通した釣り糸２００は、殆ど直角に折れながら水中に下がり、図４bの場合は、本体１００が水面に斜めな状態で浮上しているので、本体１００を貫通した釣り糸２００も斜めな角度を維持している。
【００３１】
すなわち、図４bの場合は、釣り糸２００が直角に折れず、斜めな角度を維持しているので、摩擦が図４aの場合よりも小さく、入水速度が速いことである。このように、釣り糸２００の入水速度を調節すると、周辺条件や頻繁に変化する天気に柔軟に対応することができる。
【００３２】
さらには、前記第２のケース１２０の内部に設けられた重量体１４０を完全に除去した状態で、水面に本体１００を投げると、第１のケース１１０の下側に設けられた重り１１２により、垂直状態で浮上するので、必要に応じて、通常広く用いられている電気浮きのように垂直方向に直立させて使用することもできる。
【００３３】
上述した内容は、後述する本発明の特許請求の範囲のさらなる理解のために、本発明の特徴と技術的な長所を多少幅広く概説した。以下、本発明の特許請求の範囲を構成する付加的な特徴と長所が詳述される。開示された本発明の概念と特定の実施例は、本発明と類似した目的を達成するための他の構造の設計や修正の基本として直ちに使用可能であることが、当該技術の分野における熟練者により認識されなければならない。
【００３４】
また、本発明において開示された発明の概念と実施例が、本発明と同一の目的を達成するための他の構造に修正または設計するための基礎として、当該技術の分野における熟練者により、そのように修正または変更された等価構造は、特許請求の範囲において記述した発明の思想や範囲を外れない範囲内で、様々な変化、置換、及び変更が可能である。
【符号の説明】
【００３５】
１００    本体
１１０    第１のケース
１１２    重り
１１３    突起棒
１１６    結合部
１２０    第２のケース
１２２    貫通孔
１２４    結合部
１２６    凸部
１２８    結合口
１２９    挿入口
１３０    発光手段
１３２    端子孔
１３４    基板
１３６    ＬＥＤ電球
１３８    棒電池
１４０    重量体
２００    釣り糸
２０２    釣り針
２０４    水中浮き
【図１】
0005716974.tif 000002
【図２】
0005716974.tif 000003
【図３】
0005716974.tif 000004
【図４】
0005716974.tif 000005